(57)【特許請求の範囲】
【請求項１】
容器を加熱する燃焼室が、平面視で環状に構成された加熱炉であって、
前記環状燃焼室の外周側における周方向の特定箇所に、バーナが設けられ、
そのバーナは、前記環状燃焼室からの燃焼排ガスの通過により加熱された蓄熱体を通過して予熱された燃焼用空気を用いて、燃料を燃焼させるように構成されると共に、燃料を前記周方向の一方側に向けて噴出することにより、前記環状燃焼室の周方向の一方側に向けて前記環状燃焼室の環状方向に沿って火炎を形成する状態と、燃料を前記周方向の他方側に向けて噴出することにより、前記周方向の他方側に向けて前記環状燃焼室の環状方向に沿って火炎を形成する状態とに繰り返し切り換えられるように構成され、
前記バーナに、前記周方向の一方側に向けて前記環状燃焼室の環状方向に沿って火炎を形成するように燃料を噴出するものと、前記周方向の他方側に向けて前記環状燃焼室の環状方向に沿って火炎を形成するように燃料を噴出するものとの一対の燃料噴出部が、横方向に並ぶ一対の通気路の間に設けられ、
前記一対の通気路が、前記一対の燃料噴出部により燃料が噴出される側に位置する通気路から前記蓄熱体を通過して予熱された燃焼用空気を前記環状燃焼室に向けて吐出するように、燃焼用空気を交互に吐出し、かつ、燃焼用空気を吐出しない通気路を通して前記環状燃焼室からの燃焼排ガスを通過させるように、燃焼排ガスを交互に通過させるように設けられている加熱炉。
【請求項２】
前記バーナは、平面視において、前記周方向の一方側に向けての燃料噴出方向と、前記周方向の他方側に向けての燃料噴出方向とにより、前記容器側に形成される角度が５０〜１１５°の間の角度に設定されている請求項１記載の加熱炉。
【請求項３】
前記環状燃焼室における前記バーナの前方部分において、前記一対の燃料噴出部の間に相当する箇所を狭い幅にする又は遮断する区画体が設けられている請求項１又は２記載の加熱炉。
【請求項４】
前記区画体が、前記環状燃焼室における前記バーナの前方部分の幅を、の間に相当する箇所から周方向に離れるほど広くするように構成されて前記一対の燃料噴出部いる請求項３記載の加熱炉。
【発明の詳細な説明】
【０００１】
【発明の属する技術分野】
本発明は、容器を加熱する燃焼室が、平面視で環状に構成された加熱炉に関する。
【０００２】
【従来の技術】
かかる加熱炉の具体例としては、例えば、容器にてアルミ等の金属を溶解状態で保持する溶解保持炉、熱処理対象物を容器内に収納して、焼き鈍しや焼き入れ等の熱処理を施す熱処理炉等がある。
従来は、図９及び図１０に示すように、環状燃焼室２の外周側における周方向の一箇所に、バーナＢを設け、そのバーナＢは、燃料と燃焼用空気とを環状燃焼室２の周方向の一方側に向けて噴出して、環状燃焼室２の周方向の一方側に向けて火炎Ｆを形成するように構成していた。
尚、図９及び図１０において、３は、横断面形状が円形で且つ上部が開口した内部空間を備える炉体であり、４は、炉体３の内部空間の底部に設けて、横断面形状が円形で概ね椀状の容器１を載置する載置台であり、炉体３の内周面と、容器１及び載置台４の側周面とにより、平面視で環状の環状燃焼室２を形成してある。又、３０は、環状燃焼室２内の燃焼排ガスを排出する煙道である。
【０００３】
【発明が解決しようとする課題】
従来の加熱炉では、環状燃焼室２の外周側における周方向の一箇所から、環状燃焼室の周方向の一方側に向けて火炎を形成して、容器を加熱する構成であるので、容器において、その周方向における火炎が存在する側の部分が強く加熱されるので、つまり、容器が局所的に加熱されるので、容器を均等に加熱するという面で改善の余地があった。又、燃焼排ガスは、環状燃焼室から煙道を通じて、直接外部に排出されるので、燃焼排ガスにて排出される排熱損失が大きく、加熱効率を向上する面においても改善の余地があった。
【０００４】
ちなみに、容器が局所的に加熱されるという問題を解消するために、図１１に示すように、環状燃焼室２の外周側において、周方向に円周角で１８０°ずらした２箇所に、１個ずつバーナＢを設け、各バーナＢを、燃料と燃焼用空気とを環状燃焼室２の周方向の一方側に向けて噴出して、環状燃焼室２の周方向の一方側に向けて火炎Ｆを形成するように構成し、もって、燃焼排ガスを環状燃焼室２内を旋回させることにより、容器１をその周方向の略全周にわたって万遍なく加熱するように構成するもの（以下、比較例と称する）が想定される。尚、図１１に示す比較例の加熱炉は、図示は省略するが、バーナＢを２個設けた以外は、図１０及び図１１に示す従来の加熱炉と同様の構成である。
従って、比較例の加熱炉においても、環状燃焼室内の燃焼排ガスは、環状燃焼室から煙道を通じて、直接外部に排出されるので、排熱損失が大きく、加熱効率を向上する面において改善の余地があった。
又、比較例の加熱炉においては、環状燃焼室の外周側における周方向の２箇所夫々にバーナを設けてあるので、燃料を供給するための構成、燃焼用空気を供給するための構成、及び、点火したり消火したりして燃焼を制御するための構成（以下、これらの構成を合わせて付帯構成と略記する場合がある）を、各バーナ夫々に対して装備する必要がある。
更に、環状燃焼室が大径化した場合、比較例の加熱炉においては、容器を周方向の略全周にわたって万遍なく加熱できるようにするには、３箇所以上の周方向の位置夫々に、バーナを設ける必要があり、そして、付帯構成を各バーナ夫々に対して装備する必要がある。
つまり、比較例の加熱炉では、容器を均一に加熱できるものの、バーナの設置個数が多くなるため、加熱炉の全体構成が複雑になると共に、加熱炉が大型化し、更には、多数のバーナ及び付帯構成をメンテナンスする必要があるため、メンテナンスが複雑になるという問題があった。
【０００５】
本発明は、かかる実情に鑑みてなされたものであり、その目的は、加熱効率の向上を図ること、並びに、容器を均等に加熱できるようにしながら、バーナの設置個数を少なくして、コンパクト化、構成の簡略化及びメンテナンスの簡素化を一挙に図ることにある。
【０００６】
【課題を解決するための手段】
〔請求項１記載の発明〕
請求項１に記載の特徴構成は、前記環状燃焼室の外周側における周方向の特定箇所に、バーナが設けられ、
そのバーナは、前記環状燃焼室からの燃焼排ガスの通過により加熱された蓄熱体を通過して予熱された燃焼用空気を用いて、燃料を燃焼させるように構成されると共に、燃料を前記周方向の一方側に向けて噴出することにより、前記環状燃焼室の周方向の一方側に向けて前記環状燃焼室の環状方向に沿って火炎を形成する状態と、燃料を前記周方向の他方側に向けて噴出することにより、前記周方向の他方側に向けて前記環状燃焼室の環状方向に沿って火炎を形成する状態とに繰り返し切り換えられるように構成され、
前記バーナに、前記周方向の一方側に向けて前記環状燃焼室の環状方向に沿って火炎を形成するように燃料を噴出するものと、前記周方向の他方側に向けて前記環状燃焼室の環状方向に沿って火炎を形成するように燃料を噴出するものとの一対の燃料噴出部が、横方向に並ぶ一対の通気路の間に設けられ、
前記一対の通気路が、前記一対の燃料噴出部により燃料が噴出される側に位置する通気路から前記蓄熱体を通過して予熱された燃焼用空気を前記環状燃焼室に向けて吐出するように、燃焼用空気を交互に吐出し、かつ、燃焼用空気を吐出しない通気路を通して前記環状燃焼室からの燃焼排ガスを通過させるように、燃焼排ガスを交互に通過させるように設けられていることにある。
請求項１に記載の特徴構成によれば、環状燃焼室の外周側における周方向の特定箇所に、バーナを設け、そのバーナにより、環状燃焼室からの燃焼排ガスの通過により加熱された蓄熱体を通過して予熱された燃焼用空気を用いて、燃料を燃焼させると共に、環状燃焼室の周方向の一方側に向けて環状燃焼室の環状方向に沿って火炎を形成する状態と、周方向の他方側に向けて環状燃焼室の環状方向に沿って火炎を形成する状態とに繰り返し切り換える。
つまり、１個のバーナでありながらも、環状燃焼室の周方向の一方側に向けて環状燃焼室の環状方向に沿って火炎を形成する状態と、周方向の他方側に向けて環状燃焼室の環状方向に沿って火炎を形成する状態とに繰り返し切り換えることにより、容器をその周方向の広範囲にわたって加熱することができるので、周方向におけるバーナの設置個数を少なくしながらも、容器をその周方向の略全周にわたって万遍なく加熱することができるものとなり、容器を均等に加熱することができる。
例えば、周方向における１箇所にのみバーナを設けるだけでも、容器をその周方向の略全周にわたって万遍なく加熱することができるものとなり、容器を均等に加熱することができる。
又、容器を均等に加熱できるようにしながら、バーナの設置個数を少なくすることができるので、並びに、それに伴って付帯構成の設置個数も少なくすることができるので、加熱炉の全体構成を簡略化することができると共に、加熱炉を小型化することができ、更には、メンテナンスを簡素化することができる。
更に、燃焼用空気を、環状燃焼室からの燃焼排ガスの通過により加熱された蓄熱体を通過させて予熱するので、換言すれば、燃焼排ガスから排熱を燃焼用空気に回収するので、上述の従来例や比較例の加熱炉のように燃焼排ガスをそのまま外部に排出するものに比べて、排熱損失を低減して、加熱効率を向上することができる。
しかも、蓄熱体を用いて燃焼排ガスからの排熱回収を行うので、即ち、燃焼排ガスを蓄熱体に通過させてその蓄熱体に一旦熱を蓄熱させ、そのように蓄熱した蓄熱体に燃焼用空気を通過させて燃焼用空気に対して放熱させるから、燃焼用空気と燃焼排ガスとを伝熱体により熱交換可能なように通流させる熱交換器を用いて、燃焼排ガスから排熱回収を行うものに比べて、効率よく排熱を回収しながらも、排熱回収構成を小型化してバーナを小型化することができる。
つまり、燃焼排ガスからの排熱回収を蓄熱体を用いて行うようにすることにより、加熱効率の向上を一層図れるばかりか、加熱炉のコンパクト化を一層図ることができるのである。
従って、加熱効率の向上を図ることができるようになり、並びに、容器を均等に加熱できるようにしながら、バーナの設置個数を少なくして、コンパクト化、構成の簡略化及びメンテナンスの簡素化を一挙に図ることができるようになった。
また、請求項１に記載の特徴構成によれば、燃料を前記周方向の一方側に向けて噴出することにより、前記周方向の一方側に向けて環状燃焼室の環状方向に沿って火炎を形成し、燃料を前記周方向の他方側に向けて噴出することにより、前記周方向の他方側に向けて環状燃焼室の環状方向に沿って火炎を形成するので、設定した夫々の火炎形成方向に向けて、火炎を安定した形状にて且つふらつきを小さくした状態で形成することができる。
ちなみに、環状燃焼室の中心方向に向けて噴出した燃料を、向き変更体に当てて前記周方向の一方側に向かう方向に変向して火炎を形成し、環状燃焼室の中心方向に向けて噴出した燃料を、向き変更体に当てて前記周方向の他方側に向かう方向に変向して火炎を形成することが想定されるが、この構成では、火炎が拡散して形状が不安定になるともに、火炎のふらつきが大きくなりやすい。
さらに、請求項１に記載の特徴構成によれば、一方の燃料噴出部からは、燃料を前記周方向の一方側に向けて噴出することにより、前記周方向の一方側に向けて環状燃焼室の環状方向に沿って火炎を形成し、他方の燃料噴出部からは、燃料を前記周方向の他方側に向けて噴出することにより、前記周方向の他方側に向けて環状燃焼室の環状方向に沿って火炎を形成するので、設定した夫々の火炎形成方向に向けて、火炎を安定した形状にて且つふらつきを小さくした状態で形成することができる。
【０００７】
〔請求項２記載の発明〕
請求項２に記載の特徴構成は、前記バーナは、平面視において、前記周方向の一方側に向けての燃料噴出方向と、前記周方向の他方側に向けての燃料噴出方向とにより、前記容器側に形成される角度が５０〜１１５°の間の角度に設定されていることにある。
請求項２に記載の特徴構成によれば、設定した夫々の火炎形成方向に向けて、火炎を安定した形状にて且つふらつきを小さくした状態で形成することができるようにしながら、前記周方向の一方側に向けての燃料噴出方向と、前記周方向の他方側に向けての燃料噴出方向とにより、前記容器側に形成される角度が５０〜１１５°の間の角度に設定して、前記周方向の一方側及び他方側夫々に向けての火炎形成方向を設定することにより、環状燃焼室の内周側及び外周側を区画する燃焼室形成体への火炎の接触をできるだけ抑制することができる。
従って、環状燃焼室の内周側及び外周側を区画する燃焼室形成体への火炎の接触をできるだけ抑制することができるので、燃焼室形成体の過熱をできる限り抑制することができて、耐久性を一層向上することができる。
【０００８】
〔請求項３記載の発明〕
請求項３に記載の特徴構成は、前記環状燃焼室における前記バーナの前方部分において、前記一対の燃料噴出部の間に相当する箇所を狭い幅にする又は遮断する区画体が設けられていることにある。
請求項３に記載の特徴構成によれば、区画体によって、環状燃焼室におけるバーナの前方部分において、一対の燃料噴出部の間に相当する箇所が狭い幅にされるか又は遮断されているので、火炎が前記周方向に向けて環状燃焼室の環状方向に沿って形成されることにより、環状燃焼室を前記周方向に旋回してきた燃焼排ガスが、燃料を噴出している方の燃料噴出部から噴出された燃料の燃焼域に流入するのが抑制される、又は、遮断されることとなり、燃料噴出部から噴出された燃料を安定して燃焼させて完全燃焼させることができる。
従って、供給燃料を安定して燃焼させて、完全燃焼させることができるので、加熱効率を一層向上することができる。
【０００９】
〔請求項４記載の発明〕
請求項４に記載の特徴構成は、前記区画体が、前記環状燃焼室における前記バーナの前方部分の幅を、前記一対の燃料噴出部の間に相当する箇所から周方向に離れるほど広くするように構成されていることにある。
請求項４に記載の特徴構成によれば、環状燃焼室におけるバーナの前方部分の幅が、一対の燃料噴出部の間に相当する箇所から周方向に離れるほど広くなっているので、環状燃焼室を前記周方向に旋回してきた燃焼排ガスが、燃料を噴出している方の燃料噴出部から噴出された燃料の燃焼域に流入するのが抑制される、又は、遮断されるようにしながら、区画体の整流作用によって、火炎形状を一層安定化させると共に、火炎のふらつきを一層小さくすることができる。
従って、燃料を噴出している方の燃料噴出部の燃焼域へ燃焼排ガスが流入するのが抑制される、又は、遮断されるようにして、供給燃料を安定燃焼させて完全燃焼させることができ、並びに、火炎形状を一層安定化させると共に、火炎のふらつきを一層小さくして、燃焼室形成体への火炎の接触を一層抑制することができるので、加熱効率を一層向上すると共に、耐久性を一層向上することができるようになった。
【００１０】
【発明の実施の形態】
〔第１実施形態〕
以下、図１ないし図６に基づいて、本発明の第１実施形態を説明する。尚、この第１実施形態においては、容器にてアルミ等の金属を溶解状態で保持する溶解保持炉に、本発明を適用した場合について説明する。
図１及び図２に示すように、加熱炉は、被加熱物を貯留する容器１を加熱する燃焼室２を、平面視で環状に構成してある。
本発明では、環状燃焼室２の外周側における周方向の特定の一箇所に、バーナＢを設け、そのバーナＢは、環状燃焼室２からの燃焼排ガスＥの通過により加熱された蓄熱体９を通過して予熱された燃焼用空気Ａを用いて、ガス燃料Ｇを燃焼させるように構成すると共に、環状燃焼室２の周方向の一方側に向けて環状燃焼室２の環状方向に沿って火炎Ｆを形成する状態と、前記周方向の他方側に向けて環状燃焼室２の環状方向に沿って火炎Ｆを形成する状態とに繰り返し切り換えられるように構成してある。
【００１１】
横断面形状が円形で且つ上部が開口した内部空間を備える炉体３の内部空間の底部に、円柱形状の載置台４を設け、横断面形状が円形で概ね椀状の容器１を、載置台４に載置した状態で炉体３に収納して、炉体３の内周面と、容器１及び載置台４の側周面とにより、平面視で環状の環状燃焼室２を形成する。尚、容器１の鍔部１ｆを、炉体３の開口縁に載置して、燃焼室２を閉じてある。
【００１２】
そして、この第１実施形態においては、バーナＢは、１個しか設けていない。
【００１３】
図３ないし図６に基づいて、バーナＢについて説明を加える。
バーナＢは、バーナ本体５と、そのバーナ本体５の後部に連接した風箱６を備えて構成してある。
バーナ本体５の前面部（環状燃焼室２に臨む面部）には、環状燃焼室２の周方向の一方側に向けて環状燃焼室２の環状方向に沿って火炎Ｆを形成するようにガス燃料を噴出するものと、前記周方向の他方側に向けて環状燃焼室２の環状方向に沿って火炎Ｆを形成するようにガス燃料を噴出するものとの一対のガスノズル（燃料噴出部に相当する）１０を横方向（左右方向）に並べて設けてある。
尚、バーナＢにおいて、一対のガスノズル１０の間の横方向の中心部から、真っ直ぐ前方に向かう方向（以下、直前方方向と称する場合がある）をＰとする。
【００１４】
バーナ本体５は、夫々の軸心が直前方方向Ｐと平行な一対の通気路７を横方向に並ぶ状態で備えると共に、軸心が直前方方向Ｐと平行な燃料路収納孔８を一対の通気路７の間に備える状態に、外径形状が概ね直方体状になるように耐熱材にて形成してある。各通気路７は、バーナ本体５の前面に開口する前面開口部７ｆ、及び、バーナ本体５の後面（環状燃焼室２とは反対側）に開口する後面開口部７ｂを備え、各通気路７には、多孔状に形成されて通気自在なブロック状の蓄熱体９の複数を、積層状態に充填してある。
【００１５】
尚、蓄熱体９を通気路７に充填するに当たっては、蓄熱体９が前後方向に複数個並ぶようにして、バーナ本体５の前面側（即ち、環状燃焼室２の側）の高温側に設けるものと、バーナ本体５の後面側（環状燃焼室２とは反対側）の低温側に設けるものとで、蓄熱体９の耐熱仕様を異ならせて、つまり、低温側に設けるものは、耐熱仕様の低い低価格のものを用いるようにして、コストダウンを図っている。
又、複数個の蓄熱体９を積層状態で通気路７に充填してあることから、メンテナンスにおいて蓄熱体９を交換するときには、部分的な交換で済むので、一体物の蓄熱体を通気路７に充填した場合に比べて、メンテナンス費用を低減することができる。
【００１６】
燃料路収納孔８には、燃料路収納管２７を、その先端を燃料路収納孔８の先端に一致させて、燃料路収納孔８及び風箱６を通過して、風箱６の後部に突出するように設けてある。
そして、一対のガスノズル１０は、燃料路収納管２７におけるバーナ本体５の前面に開口する開口部に横方向に並べて配置し、一対のガスノズル１０夫々に各別に連通接続した一対の燃料供給管１１を、燃料路収納管２７内に収納してある。
一対の燃料供給管１１夫々に、都市ガス等のガス燃料を供給する燃料供給路１２を連通接続し、各燃料供給路１２にはガス燃料の供給を断続する燃料断続弁１３を設けてある。
【００１７】
図２にも示すように、一対のガスノズル１０のうち、環状燃焼室２に向かって左側（図２及び図５において下側）のガスノズル１０のガス燃料噴出方向は、平面視において、直前方方向Ｐに対して左側に４０°傾斜する方向に設定し、環状燃焼室２に向かって右側  （図２及び図５において上側）のガスノズル１０のガス燃料噴出方向は、平面視において、直前方方向Ｐに対して右側に４０°傾斜する方向に設定してある。尚、図２及び図５においては、ガスノズル１０のガス燃料噴出方向が、直前方方向Ｐに対して左側又は右側に傾斜する傾斜噴出角をαにて示してある。
つまり、平面視において、左側のガスノズル１０のガス燃料噴出方向と、右側のガスノズル１０のガス燃料噴出方向とにより、燃焼室２側（即ち、容器１側）に形成される角度２αを８０°に設定してある。尚、バーナＢを設置した部分の環状燃焼室２における内周部の径（載置台１の直径に相当する）と外周部の径との比は、およそ１対２．４程度である。
【００１８】
そして、一対のガスノズル１０を、それらのガス燃料噴出方向同士の間に形成される角度を８０°に設定して、環状燃焼室２の外周部付近に位置させた状態で設けることにより、火炎Ｆが、環状燃焼室２の内周側を区画する載置台４や容器１の側壁、及び、環状燃焼室２の外周側を区画する炉体３の側壁へ接触するのをできるだけ抑制することができて、耐久性を向上することができる。
【００１９】
風箱６には、一対の通気路７夫々の後面開口部７ｂに各別に連通する一対の給排気室１４、及び、それら一対の給排気室１４夫々と隔壁１５にて仕切られると共に、各隔壁１５に形成した連通口１６にて各給排気室１４と連通する給排気切り換え室１７を形成してある。
更に、風箱６の後壁には、給排気切り換え室１７に連通する給気口１８を形成し、風箱６の上壁には、給排気切り換え室１７に連通する排気口１９を形成し、給気口１８には、ブロア２０から燃焼用空気が供給される空気路２１を連通接続し、並びに、排気口１９には排気ダクト２２を連通接続してある。
【００２０】
給排気切り換え室１７の内部には、給排気切り換え室１７の内部を左右に区画するダンパ２３を、直前方方向Ｐと平行な揺動軸心Ｒにて左右に揺動自在に支持して設け、そのダンパ２３を揺動駆動するダンパ用モータ２４を風箱６の後壁に支持して設けてある。
ダンパ２３は、その左右の揺動により、一対の連通口１６のうち、給排気切り換え室１７を介して給気口１８に連通させるものを交互に切り換えると共に、一対の連通口１６のうち、給排気切り換え室１７を介して排気口１９に連通させるものを給気口１８に連通するものとは異なるものになる状態で交互に切り換えるように設けてある。
【００２１】
つまり、ダンパ２３を右側に揺動させた状態では、右側の連通口１６が給気口１８に連通し、左側の連通口１６が排気口１９に連通するので、給気口８から供給された燃焼用空気Ａは、右側の連通口１６から右側の給排気室１４に流入し、右側の通気路７を通過して右側の前面開口部７ｆから環状燃焼室２に供給され（このように、通気路７を燃焼用空気Ａが通過する状態を空気予熱供給状態と略記する場合がある）、環状燃焼室２内の燃焼排ガスＥは、左側の前面開口部７ｆに吸込まれて、左側の通気路７を通過して、左側の給排気室１４に流入し、左側の連通口１６を通過して排気口１９から排出される（このように、通気路７を燃焼排ガスＥが通過する状態を蓄熱排気状態と略記する場合がある）。
逆に、ダンパ２３を左側に揺動させた状態では、左側の連通口１６が給気口１８に連通し、右側の連通口１６が排気口１９に連通するので、左側の通気路７が空気予熱供給状態となり、右側の連通路７が蓄熱排気状態となる。
【００２２】
尚、図３ないし図６は、ダンパ２３を右側に揺動させて、右側の通気路７が空気予熱供給状態となり、左側の通気路７が蓄熱排気状態となっている状態を示し、図４において、ダンパ２３を左側に揺動させた状態を一点鎖線にて示している。
【００２３】
蓄熱排気状態では、通流する燃焼排ガスＥにより、蓄熱体９が加熱されて蓄熱され、空気予熱供給状態では、その前の蓄熱排気状態のときに蓄熱体９に蓄熱された熱が通流する燃焼用空気Ａに放熱されて、燃焼用空気Ａが予熱される。
【００２４】
そして、一対の燃料断続弁１３を交互に開弁することにより、一対のガスノズル１０から交互にガス燃料Ｇを噴出し、それと並行して、ガス燃料Ｇが噴出しているガスノズル１０と同じ側の前面開口部７ｆから予熱された燃焼用空気Ａが吐出される状態で、一対の前面開口部７ｆから交互に燃焼用空気Ａを吐出するように、ダンパ用モータ２４によってダンパ２３を揺動することにより、環状燃焼室２の周方向の一方側に向けて環状燃焼室２の環状方向に沿って火炎Ｆを形成する状態と、前記周方向の他方側に向けて環状燃焼室２の環状方向に沿って火炎Ｆを形成する状態とに繰り返し切り換えられるように構成してある。
【００２５】
図１、図２及び図５に示すように、上述のように構成したバーナＢを、炉体３の周壁における載置台４に対向する部分に形成したバーナ挿入孔に挿入して、平面視にて、ガスノズル１０が環状燃焼室２の略外周部に位置して、直前方方向Ｐが容器１の中心に交わる姿勢にて配置する。
【００２６】
更に、横断面形状が二等辺三角形状の尖り部２５ｔを備えた区画体２５を、平面視で、載置台４の側から、二等辺三角形状の尖り部２５ｔの先端をバーナＢに向けてバーナＢに近づけると共に、その二等辺三角形状の尖り部２５ｔが、直前方方向Ｐに沿う仮想線にて線対称となる姿勢にて、後端を載置台４の側壁に当てつけた状態で配置してある。
平面視において、区画体２５の二等辺三角形状の尖り部２５ｔの頂部の角度βは、左側のガスノズル１０のガス燃料噴出方向と右側のガスノズル１０のガス燃料噴出方向とにより、燃焼室２側に形成される角度２α（この実施形態では８０°）と等しいかあるいはやや小さい角度に設定してある。
【００２７】
つまり、区画体２５により、環状燃焼室２におけるバーナＢの前方部分において、一対のガスノズル１０の間に相当する箇所を狭い幅にすると共に、環状燃焼室２におけるバーナＢの前方部分の幅を、一対のガスノズル１０の間に相当する箇所から周方向に離れるほど広くするように構成してある。
【００２８】
そして、右側のガスノズル１０からガス燃料Ｇを噴出すると共に、右側の前面開口部７ｆから予熱された燃焼用空気Ａを吐出して、平面視で反時計回り側に向けて環状燃焼室２の環状方向に沿って火炎Ｆを形成している状態では、反時計回りに旋回する燃焼排ガスＥが、区画体２５によって、右側のガスノズル１０から噴出されたガス燃料Ｇの燃焼域に流入するのを抑制しながら、左側の前面開口部７ｆに吸い込まれ易いようにしてある。同様に、左側のガスノズル１０からガス燃料Ｇを噴出すると共に、左側の前面開口部７ｆから予熱された燃焼用空気Ａを吐出して、平面視で時計回り側に向けて環状燃焼室２の環状方向に沿って火炎Ｆを形成している状態では、時計回りに旋回する燃焼排ガスＥが、区画体２５によって、左側のガスノズル１０から噴出されたガス燃料Ｇの燃焼域に流入するのを抑制しながら、右側の前面開口部７ｆに吸い込まれ易いようにしてある。
【００２９】
図１に示すように、一対の燃料断続弁１３及びダンパ用モータ２４を制御する制御部２６を設けてある。
以下、制御部２６の制御動作を説明する。
制御部２６は、設定時間間隔（例えば、３０秒）毎に、一対の燃料断続弁１３夫々を、一方が開弁状態となり他方が閉弁状態となる状態で、繰り返し開閉制御し、それと並行して、開弁している方の燃料断続弁１３に対応するガスノズル１０と同じ側の通気路７が空気予熱供給状態となるようにダンパ２３を揺動すべく、ダンパ用モータ２４を回動させるように繰り返し制御する。
従って、環状燃焼室２の周方向の一方側に向けて環状燃焼室２の環状方向に沿って火炎Ｆが形成される状態と、前記周方向の他方側に向けて環状燃焼室２の環状方向に沿って火炎Ｆが形成される状態とが、自動的に繰り返し切り換えられる。
【００３０】
つまり、第１実施形態では、従来の加熱炉や比較例の加熱炉と同様の椀状の容器１を設けた場合において、バーナＢを１個しか設けていないにもかかわらず、容器１をその周方向の略全周にわたって万遍なく加熱することができるものとなり、容器１を均等に加熱することができるのである。
【００３１】
〔第２実施形態〕
以下、図７及び図８に基づいて、本発明の第２実施形態を説明する。この第２実施形態においては、熱処理対象物を容器内に収納して熱処理を施す熱処理炉に、本発明を適用した場合について説明する。
尚、第２実施形態におては、第１実施形態と同じ構成要素や同じ作用を有する構成要素については、重複説明を避けるために、同じ符号を付すことにより説明を省略し、主として、第１実施形態と異なる構成を説明する。
【００３２】
第２実施形態においては、有底円筒状の容器１を、載置台４に載置した状態で炉体３に収納して、炉体３の内周面と、容器１及び載置台４の側周面とにより、平面視で環状の環状燃焼室２を形成し、容器１の鍔部１ｆを、炉体３の開口縁に載置して、燃焼室２を閉じてある。
そして、上下方向の複数箇所（この実施形態では３箇所）夫々において、環状燃焼室２の外周側における周方向の特定の一箇所に、第１実施形態と同様のバーナＢを、第１実施形態と同様の姿勢で設け、更に、各バーナＢの前方には、第１実施形態と同様の区画体２５を、第１実施形態と同様の姿勢にて、後端を容器１の側壁に接着した状態で設けてある。
平面視にて、３個のバーナＢは、周方向に中心角で１２０°ずつ間隔をあけた状態で配置してある。
【００３３】
図示は省略するが、各バーナＢの一対の燃料断続弁１３及びダンパ用モータ２４を同期させた状態で第１実施形態と同様に制御する制御部２６を設けてあり、３個のバーナＢを同期させた状態で、環状燃焼室２の周方向の一方側に向けて環状燃焼室２の環状方向に沿って火炎Ｆが形成される状態と、前記周方向の他方側に向けて環状燃焼室２の環状方向に沿って火炎Ｆが形成される状態とが、自動的に繰り返し切り換えられるように構成してある。
尚、３個のバーナＢにおいて、同時に形成される火炎の向きは、すべて同じになるようにしても良いし、異ならしても良い。
【００３４】
第２実施形態のように加熱炉を構成すると、容器１の高さが高くて、上下方向に複数のバーナＢを設ける必要がある場合でも、上下方向の各位置には、バーナＢを１個ずつしか設けないにもかかわらず、容器１をその周方向の略全周にわたって万遍なく加熱することができるものとなり、容器１を均等に加熱することができるのである。
ちなみに、このように、容器１の高さが高くて、上下方向に複数のバーナＢを設ける必要がある場合に、比較例の加熱炉と同様の構成を採用すると、上下方向の各位置に、バーナＢを２個ずつ設けることになるので、バーナＢの設置個数が多くなる。
【００３５】
〔別実施形態〕
次に別実施形態を説明する。
（イ）  環状燃焼室２の周方向の一方側に向けて環状燃焼室２の環状方向に沿って火炎Ｆを形成する状態と、前記周方向の他方側に向けて環状燃焼室２の環状方向に沿って火炎Ｆを形成する状態とに繰り返し切り換えられるように構成する具体構成として、上記の実施形態においては、前記周方向の一方側に向けて環状燃焼室２の環状方向に沿って火炎Ｆを形成するようにガス燃料Ｇを噴出するものと、前記周方向の他方側に向けて環状燃焼室２の環状方向に沿って火炎Ｆを形成するようにガス燃料Ｇを噴出するものとの一対のガスノズル１０を設ける場合について例示した。
これに代えて、１個のガスノズル１０を、左右に揺動駆動操作自在に設けて、１個のガスノズル１０を左右に揺動させながら、各揺動位置でガス燃料を噴出するように制御するように構成しても良い。
【００３６】
（ロ）  ガスノズル１０には、１個のガス噴出孔を設けても良いし、 複数個のガス噴出孔を上下方向に並べて設けても良い。
【００３７】
（ハ）  平面視において、左側のガスノズル１０のガス燃料噴出方向と、右側のガスノズル１０のガス燃料噴出方向とにより、燃焼室２側に形成される角度２αは、上記の実施形態で例示した８０°に限定されるものではなく、図２及び図５に示すように、環状燃焼室２の内周側及び外周側を区画する燃焼室形成体への火炎の接触をできるだけ抑制するようにしながら、５０〜１１５°の間で、適宜設定することができる。
尚、前記角度２αの設定に当たっては、環状燃焼室２の内周側及び外周側を区画する燃焼室形成体への火炎の接触を一層抑制する上では、燃焼室２における内周部の径と外周部の径との比を考慮して、前記比が小さくなるほど、前記角度２αを大きくするのが好ましく、上記の実施形態のように、前記比がおよそ１対２．４程度の場合は、前記角度２αは、５０〜１１５°の間で、適宜設定することができるが、上記の実施形態で例示したように８０°付近に設定するのが最適である。
【００３８】
（ニ）  上記の第１実施形態において、環状燃焼室２が大径化した場合には、環状燃焼室２の外周側における周方向の二箇所以上の箇所夫々に、バーナＢを設けても良い。又、上記の第２実施形態において、環状燃焼室２が大径化した場合には、上下方向の複数箇所夫々において、環状燃焼室２の外周側における周方向の二箇所以上の箇所夫々に、バーナＢを設けても良い。
これらの場合、いずれも、比較例の加熱炉と同様の構成を採用する場合に比べて、バーナＢの設置個数を少なくしながら、容器１を均等に加熱することができる。
【００３９】
（ホ）  蓄熱体９を用いて燃焼排ガスから燃焼用空気に排熱回収を行うための構成は、 上記の実施形態において例示した構成に限定されるものではない。
例えば、燃焼用空気を通流させる空気路及び燃焼排ガスを通流させる排ガス路を、回転軸心周りに並べて配置した状態で一体的に回転駆動自在に設け、それら空気路及び排ガス路の前方に、その回転軌跡のほぼ全周にわたって、蓄熱体９を配置した構成でも良い。あるいは、空気路及び排ガス路と、蓄熱体９との配置形態は、前記の構成と同様にした状態で、前記の構成とは逆に、空気路及び排ガス路を静止させて、蓄熱体９を回転駆動するようにしても良い。
【００４０】
（ヘ）  上記の実施形態においては、図示は省略しているが、一対のガスノズル１０にて、１個のパイロットバーナを共用しているので、区画体２５により、環状燃焼室２におけるバーナＢの前方部分において、一対のガスノズル１０の間に相当する箇所を狭い幅にしたが、一対の一対のガスノズル１０夫々に専用のパイロットバーナを設ける場合は、区画体２５により、環状燃焼室２におけるバーナＢの前方部分において、一対のガスノズル１０の間に相当する箇所を遮断すると、燃焼排ガスの回り込みを抑制する上で最適である。
【００４１】
（ト）  横断面形状が二等辺三角形状の尖り部２５ｔを備えた区画体２５に代えて、板状の区画体２５を、平面視において、その面方向を直前方方向Ｐに沿わした状態で、立設しても良い。この場合、区画体２５の整流作用は、あまり期待できないが、燃焼排ガスの回り込み抑制作用は、所望どおりに発揮させることができる。
【００４２】
（チ）  上記の各実施形態において、区画体２５を省略しても良い。
【００４３】
（リ）  本発明は、上記の実施形態において加熱炉の一例として例示した溶解保持炉や熱処理炉以外にも、容器１を加熱する燃焼室２が平面視で環状に構成された各種の加熱炉に適用することができる。
（ヌ）  バーナＢは、上記の実施形態において例示したようにガス燃料を燃焼させるもの以外に、液体燃料を燃焼させるものや、ガス燃料と液体燃料を混焼させるものを採用することができる。
【図面の簡単な説明】
【図１】第１実施形態にかかる加熱炉の縦断面図
【図２】第１実施形態にかかる加熱炉の横断面図
【図３】実施形態にかかる加熱炉のバーナの縦断左側面図
【図４】実施形態にかかる加熱炉のバーナの縦断後面図
【図５】実施形態にかかる加熱炉のバーナの横断平面図
【図６】実施形態にかかる加熱炉のバーナの一部切り欠き斜視図
【図７】第２実施形態にかかる加熱炉の縦断面図
【図８】第２実施形態にかかる加熱炉の横断面図
【図９】従来の加熱炉の横断面図
【図１０】従来の加熱炉の縦断面図
【図１１】本発明の比較例の加熱炉を示す横断面図
【符号の説明】
１    容器
２    環状燃焼室
９    蓄熱体
１０  燃料噴出部
２５  区画体
Ａ    燃焼用空気
Ｂ    バーナ
Ｅ    燃焼排ガス
Ｆ    火炎
Ｇ    燃料
【図１】
0004020575.tif 000002
【図２】
0004020575.tif 000003
【図３】
0004020575.tif 000004
【図４】
0004020575.tif 000005
【図５】
0004020575.tif 000006
【図６】
0004020575.tif 000007
【図７】
0004020575.tif 000008
【図８】
0004020575.tif 000009
【図９】
0004020575.tif 000010
【図１０】
0004020575.tif 000011
【図１１】
0004020575.tif 000012